(57)【要約】【課題】  安価且つ簡素な構成でパチンコ玉箱に貯留されたパチンコ玉に帯電する静電気を除去することが可能なパチンコ玉箱を提供することを目的とする。【解決手段】  底壁部には、下側に向けて貫通する貫通孔と、貫通孔の直下に位置し、底壁部の下側に形成される玉嵌合部と、玉嵌合部に下側より嵌合する、貫通孔より大径の球体と、球体を玉嵌合部の内部で揺動自在に保持する保持爪と、を有し、玉嵌合部の端部が接地面と接地する際、嵌合した球体が接地面と接地すると共に、球体の一部が貫通孔より底壁部の上側に突出することを特徴とする。【選択図】      図１
2010051635.tif 000002
【特許請求の範囲】
【請求項１】
パチンコ玉を貯留するために一体成形された周壁部と底壁部とを有する玉貯留部と、前記玉貯留部の上縁から外側に延出する取手と、を備えるパチンコ玉箱において、
前記底壁部には、
下側に向けて貫通する貫通孔と、
前記貫通孔の直下に位置し、前記底壁部の下側に形成される玉嵌合部と、
前記玉嵌合部に下側より嵌合する、前記貫通孔より大径の球体と、
前記球体を前記玉嵌合部の内部で揺動自在に保持する保持爪と、を有し、
前記玉嵌合部の端部が接地面と接地する際、
嵌合した前記球体が前記接地面と接地すると共に、前記球体の一部が前記貫通孔より前記底壁部の上側に突出することを特徴とするパチンコ玉箱。
【請求項２】
前記パチンコ玉箱の前記底壁部一端側には、貯留されるパチンコ玉を前記パチンコ玉箱の外部に排出する排出部と、前記排出部を開状態、もしくは閉状態とするシャッターと、を備えていることを特徴とする請求項１記載のパチンコ玉箱。
【発明の詳細な説明】
【技術分野】
【０００１】
本発明は、パチンコ店等の遊技施設における、パチンコ玉を収容するパチンコ玉箱に関する。
【背景技術】
【０００２】
従来、パチンコ店等の遊技施設における、パチンコ玉を収容するパチンコ玉箱は、略長方形で上方に開口を有した箱型形状であり、その開口からパチンコ玉等の遊技媒体を貯留する玉貯留部と、該玉貯留部上縁から外側に延出する両側の取手と、を一体的に備えた合成樹脂製の箱が知られており、遊技客が貯留したパチンコ玉を計数するため、遊技島の島端等に設けられた玉計数機に、該パチンコ玉箱をひっくり返して投入することで獲得した賞球として計数していた。
【０００３】
前記パチンコ玉箱は、遊技機の下皿下方に備えられ、該遊技機より排出されるパチンコ玉を下皿より受け入れる。パチンコ玉箱に貯留されるパチンコ玉は、遊技機内を通過し該遊技機の下皿に排出されるので、その経路途中における外物との摩擦によって静電気が帯電すると共に、パチンコ玉箱に貯留されたパチンコ玉も静電気が帯電されたままの状態となっている。したがって、パチンコ玉箱に貯留されたパチンコ玉に遊技客が手を触れると、帯電している静電気が放電し、遊技客に不快感を与えるといった問題があった。
【０００４】
前述する問題を解決するために、下記特許文献が開示されている。特許文献１を参照すると、この静電気放電装置付玉入れ容器（パチンコ玉箱）は、容器本体の底壁に貫通孔を設け、その貫通孔の上側より電導材質から成る管螺状キャップを突出させ、該貫通孔の下側より電導材質のスプリングを囲撓させた放電シャフトを当て込むとともに、該放電シャフト下部の貫通孔を有するナットを螺着締付けて、該放電シャフトの下部下端は容器本体の上げ底脚の下端より突出するようにしている。
【０００５】
また、特許文献２を参照すると、このパチンコ球入れ箱（パチンコ玉箱）は、パチンコ球に帯電した静電気を除去するため、該パチンコ球入れ箱の底板に、箱内に収容したパチンコ球の単体の一部が底板より下方へ突出する程度の大きさの孔を貫通してなるものである。
【特許文献１】実開平０１−１１７３８９
【特許文献２】実開昭６１−１７４９９０
【０００６】
昨今、パチンコ玉箱の玉貯留部に排出部を有し、可動することで該排出部を開状態もしくは閉状態とするシャッターを設けたパチンコ玉箱が提案されており、遊技客が玉貯留部に貯留されたパチンコ玉を計数する際、該パチンコ玉箱をひっくり返す必要が無く、シャッターの開閉動作によって、貯留されたパチンコ玉を計数機へ移すことが可能である。
【発明の開示】
【発明が解決しようとする課題】
【０００７】
しかしながら、パチンコ玉に帯電している静電気を除去すべく、管螺状キャップ、放電シャフト等の部材を玉箱底部に組み付けるので、部材を組み付けない玉箱と比べコストアップの要因となると共に、製造において組み付け作業に手間がかかっていた。また、箱内の収容したパチンコ玉が貫通した孔より突出して静電気を除去する際、シャッターを設けたパチンコ玉箱においては、シャッターが開状態となりパチンコ玉が計数機へ移す際に、貫通した孔に嵌ったパチンコ玉が計数機へ移ることができず、結果、パチンコ玉箱をひっくり返す必要があった。
【０００８】
本発明は上記課題を鑑み、安価且つ簡素な構成でパチンコ玉箱に貯留されたパチンコ玉に帯電する静電気を除去することが可能なパチンコ玉箱を提供することを目的とする。
【課題を解決するための手段】
【０００９】
上記の問題を解決するために、本発明の請求項１の、遊技媒体を貯留するために一体成形された周壁部と底壁部とを有する玉貯留部と、玉貯留部の上縁から外側に延出する取手と、を備えるパチンコ玉箱において、底壁部には、下側に向けて貫通する貫通孔と、貫通孔の直下に位置し、底壁部の下側に形成される玉嵌合部と、玉嵌合部に下側より嵌合する、貫通孔より大径の球体と、球体を玉嵌合部の内部で揺動自在に保持する保持爪と、を有し、玉嵌合部の端部が接地面と接地する際、嵌合した球体が接地面と接地すると共に、球体の一部が貫通孔より底壁部の上側に突出することを特徴とする。また、前記球体は、遊技施設にて使用されるパチンコ玉であることを特徴とする。
【発明の効果】
【００１０】
本発明によれば、組み込み作業に手間がかからず、安価な構成でパチンコ玉箱に貯留されたパチンコ玉に帯電する静電気を除去することが可能である。また、底壁部の上側に、嵌合する球体の一部が貫通孔より突出するため、シャッターを設けたパチンコ玉箱においては、計数時、貯留したパチンコ玉は貫通孔に嵌り込むこと無く計数機へ移すことができる。また、玉嵌合部に嵌合する球体は遊技施設で使用されるパチンコ玉を使用することで、特別な部材を用意すること無く安価に構成可能とする。
【発明を実施するための最良の形態】
【００１１】
以下、本発明の実施例について図面を参照しながら説明する。なお、本実施形態において箱状の部材は、開口側を上側とし、その逆を下側とする。
【実施例１】
【００１２】
以下、各図面に基づき本発明のパチンコ玉箱１を詳細に説明する。図１はパチンコ玉箱１を示す外観斜視図である。図１に示すとおり、パチンコ玉箱１は、略長方形で上方に開口を有した箱形形状であり、その開口からパチンコ玉等の遊技媒体を貯留する玉貯留部３と、該玉貯留部３上縁から外側に延出する両側の取手５と、を一体的に備えている。なお、パチンコ玉箱１は、透明、半透明或いは不透明のＰＣ（ポリカーボネート）やＡＢＳ樹脂といった強度、耐衝撃性がある合成樹脂材によって一体的に成形されている。前記パチンコ玉箱１は、遊技機の下皿下方に位置するステンレス製等のカウンターＣに備えられ、該遊技機より排出されるパチンコ玉を下皿より玉貯留部３へ受け入れる。  
【００１３】
玉貯留部３は、平面視略矩形形状を成す底壁部１１と、その底壁部１１の周縁から立ち上がる側壁部７とを備えて上面に開口を有する形で形成されている。玉貯留部３の底壁部１１には、その一端側に該玉貯留部３に貯留されるパチンコ玉をパチンコ玉箱１の外部に排出する排出部１ａを有し、該排出部１ａには、その動作により排出部１ａを開状態、閉状態とするシャッター１ｂが備えている。また、底壁部１１は排出部１ａに向かって僅かながら傾斜しており、排出部１ａが開状態時に、玉貯留部３に貯留されたパチンコ玉が傾斜に沿って排出部１ａへ向かって転動し、パチンコ玉箱１の外部へ排出する。即ち、該パチンコ玉は、計数機を介して遊技島内部に返却される。  
【００１４】
また、玉貯留部３の底壁部１１には、遊技機の下皿より受け入れる玉の落下音を低減する消音マット９が貼着されている。玉貯留部３の底壁部１１に貼着された消音マット９は、切り欠き部９ａを数箇所（図中では２箇所）有し、該切り欠き部９ａより底壁部１１が露出している。露出した底壁部１１には貫通孔１５ｄが設けられ、該貫通孔１５ｄより球体Ｐの一部が突出している。
【００１５】
図２はパチンコ玉箱１の下側を示す斜視図であり、（ａ）はパチンコ玉箱１の下側を示す外観斜視図であり、（ｂ）はパチンコ玉箱１の下側に有する玉嵌合部１５の詳細を示す部分拡大図である。図２（ａ）に示すとおり、パチンコ玉箱１の下側には、底壁部１１下側の周縁に立ち上がるスカート部１３を有し、該スカート部１３の端部１３ａが、カウンターＣと接地し、パチンコ玉箱１を安定的に置くことが可能である。また、底壁部１１下側の周縁内には、玉貯留部３の底壁部１１上側にその一部を突出する球体Ｐを嵌合する玉嵌合部１５を複数（図中では２箇所）形成している。玉嵌合部１５は、図２（ｂ）に示すとおり、パチンコ玉箱１の下側に形成された円筒形状であり、その円周一端には嵌合する球体Ｐを該玉嵌合部１５内に保持する保持爪１５ａが形成されている。前述する球体Ｐは、導電性を有する部材であり、主にパチンコ店等の遊技施設で使用されるパチンコ玉である。
【００１６】
図３は玉嵌合部１５の部分拡大断面図であり、（ａ）は玉嵌合部１５に球体Ｐを嵌合前の部分拡大断面図であり、（ｂ）は玉嵌合部１５に球体Ｐを嵌合後の部分拡大断面図である。図３（ａ）に示すとおり、玉嵌合部１５は、底壁部１１下側より円筒形状に形成され、その円筒形状の端部１５ｂは、底壁部１１下側の周縁に立ち上がるスカート部１３の端部１３ａと同高さと成る。該玉嵌合部１５は、底壁部１１を貫通する貫通孔１５ｄと略同中心であり、該玉嵌合部１５と貫通孔１５ｄの間には、ドーム状に形成された玉押さえ部１５ｃが形成されている。球体Ｐは、底壁部１１下側（矢印方向Ａ）より玉嵌合部１５内に押し込むことで、球体Ｐは保持爪１５ａに保持され、球体Ｐが落下すること無く玉嵌合部１５内に嵌合した状態となる。
【００１７】
図３（ｂ）に示すとおり、玉嵌合部１５の内周壁１５ｅの直径Ｘは、押し込まれた球体Ｐの直径Ｙより僅かに大きいため、押し込まれた球体Ｐはそのガタにより上下左右方向に僅かに揺動可能である。また、底壁部１１を貫通する貫通孔１５ｄの直径Ｚは、球体Ｐの直径Ｙよりも小さく、併せて玉押さえ部１５ｃにより、押し込まれた球体Ｐは底壁部１１の上側、つまりは玉貯留部３側へ抜け出ることは無い。
【００１８】
次に図４を用いて、作用を説明する。図４はパチンコ玉箱１をカウンターＣに備える際の玉嵌合部１５の部分拡大断面図であり、（ａ）はパチンコ玉箱１の備える前の玉嵌合部１５の部分拡大断面図であり、（ｂ）はパチンコ玉箱１の備えた後の玉嵌合部１５の部分拡大断面図である。遊技施設においては、予め球体Ｐをパチンコ玉箱１下側の玉嵌合部１５に嵌合した状態とする。パチンコ玉箱１は、遊技機の下皿にパチンコ玉が貯留された際、下皿下方のカウンターＣに備えられ、該下皿より玉貯留部３にパチンコ玉を受け入れる。図４（ａ）に示すとおり、パチンコ玉箱１がカウンターＣに備える前は、該パチンコ玉箱１の下側に形成された玉嵌合部１５に嵌合した球体Ｐは、該玉嵌合部１５の内周壁１５ｅの直径Ｘは球体Ｐの直径Ｙより僅かに大きく、該球体Ｐは玉嵌合部１５内で僅かに揺動するため、カウンターＣに備える前は、重力によって底壁部１１の上側、つまりは玉貯留部３側に突出せず、端部１５ｂより下方に突出した状態と成る。
【００１９】
図４（ｂ）に示すとおり、パチンコ玉箱１を下皿下方のカウンターＣに備えると、該パチンコ玉箱１のスカート部１３の端部１３ａがカウンターＣと接地すると共に、該スカート部１３と同高さに成る玉嵌合部１５は、その端部１５ｂがカウンターＣと接地する。端部１５ｂがカウンターＣと接地することにより、カウンターＣに備える前は重力によって該端部１５ｂより下方に突出した状態と成る球体Ｐは、該球体Ｐの一部がカウンターＣと接地することで上側に揺動すると共に、該パチンコ玉箱１の玉貯留部３側へその一部を貫通孔１５ｄより突出する状態となる。底壁部１１を貫通する貫通孔１５ｄの直径Ｚは、球体Ｐの直径Ｙよりも小さく、また、ドーム状に形成された玉押さえ部１５ｃによって、玉嵌合部１５に押し込まれた球体Ｐは玉貯留部３側へ抜け出ることは無い。
【００２０】
玉貯留部３側にその一部が突出した球体Ｐは、消音マット９の切り欠き部９ａによって露出された底壁部１１から突出するので、該玉貯留部３に貯留されるパチンコ玉と当接することとなる。貯留されたパチンコ玉と、玉嵌合部１５に嵌合した球体Ｐが当接すると共に、該球体ＰとカウンターＣが接地することで、導通状態となり、貯留されるパチンコ玉に帯電する静電気をカウンターＣ側に放電することが可能となる。玉嵌合部１５内に嵌合した球体Ｐは、内周壁１５ｅとのガタによって揺動可能であり、カウンターＣに凹凸があっても、該カウンターＣと確実に接地することが可能である。
【００２１】
前述する作用によって、遊技機の下皿より受け入れたパチンコ玉に帯電する静電気は、貫通孔１５ｄより突出した球体Ｐに当接することで、カウンターＣ側に放電されることで、パチンコ玉箱１に貯留されたパチンコ玉に遊技客が手を触れても放電すること無いため、該遊技客に不快感を与えることは無い。
【００２２】
また、玉貯留部３に貫通した貫通孔１５ｄより球体Ｐの一部が突出するので、玉貯留部３に貯留されるパチンコ玉は該貫通孔１５ｄに嵌り込むことが無いため、パチンコ玉箱１に排出部１ａとシャッター１ｂを備えたパチンコ玉箱１においては、シャッター１ｂの動作により開状態となった排出部１ａからパチンコ玉を計数機へ移す際に、パチンコ玉箱１をひっくり返すこと無く貯留した全てのパチンコ玉を移すことが可能であると共に、玉嵌合部１５に嵌合した球体Ｐは、パチンコ玉箱１の下側より嵌合しているため、計数機へ移ることは無い。
【００２３】
本実施例において、玉嵌合部１５に嵌合する球体Ｐを、主にパチンコ店等の遊技施設で使用されるパチンコ玉としたが、導電性を有する球体Ｐであれば、パチンコ玉ではなくてもよい。また、遊技機より排出されるパチンコ玉と差異を設けるため、パチンコ玉とは異なる、導電性を有する材質、色、直径、等を種々変更してもよい。さらに、下皿下方にステンレス製等のカウンターＣを備えたが、合成樹脂製のカウンターにおいても、該カウンターに玉嵌合部１５の直下にネジや導電性を有する部材を埋め込み、球体Ｐと接地させて放電することも可能である。
【００２４】
また、本実施例において、底壁部１１下側より玉嵌合部１５は円筒形状を形成し、玉貯留部３に貫通する貫通孔１５ｄと、ドーム状の球押さえ部１５ｃを形成したが、球体Ｐを嵌め込み、該球体Ｐの一部が玉貯留部３へ突出するのであれば、前記玉嵌合部１５の形状は、例えば三角形状、四角形状、楕円形状等、種々の変更は可能である。さらに、パチンコ玉箱１をカウンターＣに接地する際、貫通孔１５ｄより球体Ｐが抜け出ることが無ければ、玉押さえ部１５ｃは形成しなくてもよい。
【００２５】
本発明において、請求の範囲の趣旨に逸脱しない限りで、目的、用途に応じて当業者の知識に基づく種々の変更は可能である。
【図面の簡単な説明】
【００２６】
【図１】パチンコ玉箱１を示す外観斜視図である。
【図２】パチンコ玉箱１の下側を示す斜視図であり、（ａ）はパチンコ玉箱１の下側を示す外観斜視図であり、（ｂ）はパチンコ玉箱１の下側に有する玉嵌合部１５の詳細を示す部分拡大図である。
【図３】玉嵌合部１５の部分拡大断面図であり、（ａ）は玉嵌合部１５に球体Ｐを嵌合前の部分拡大断面図であり、（ｂ）は玉嵌合部１５に球体Ｐを嵌合後の部分拡大断面図である。
【図４】パチンコ玉箱１をカウンターＣに備える際の玉嵌合部１５の部分拡大断面図であり、（ａ）はパチンコ玉箱１の備える前の玉嵌合部１５の部分拡大断面図であり、（ｂ）はパチンコ玉箱１の備えた後の玉嵌合部１５の部分拡大断面図である。
【符号の説明】
【００２７】
１      パチンコ玉箱
１ａ    排出部
１ｂ    シャッター
３      玉貯留部
５      取手
７      側壁部
１１    底壁部
１３    スカート部
１５    玉嵌合部
１５ａ  保持爪
１５ｂ  端部
１５ｄ  貫通孔
１５ｅ  内周壁
Ｘ      内周壁の直径Ｙ      球体の直径Ｚ      貫通孔の直径Ｃ      カウンター（接地面）Ｐ      球体
【図１】
2010051635.tif 000003
【図２】
2010051635.tif 000004
【図３】
2010051635.tif 000005
【図４】
2010051635.tif 000006